(57)【要約】【課題】複数の部材のうち一部の部材しか使用しない場合でも全ての部材が外部に露出することを防ぐカバー部材を提供すること。【解決手段】カバー部材は、ヒンジ部により開閉可能に設けられ、閉位置で電子機器の第１部材を覆う第１カバー部と、閉位置で電子機器の第２部材を覆う第２カバー部と、第２カバー部と第１カバー部との間に一体に設けられ、第１カバー部が閉位置を維持したまま第２カバー部を開状態にするべく折り曲げ可能な中折れ部と、を備える。【選択図】図６
2013140280.tif 000002
【特許請求の範囲】
【請求項１】
ヒンジ部により開閉可能に設けられ、閉位置で電子機器の第１部材を覆う第１カバー部と、
閉位置で前記電子機器の第２部材を覆う第２カバー部と、
前記第２カバー部と前記第１カバー部との間に一体に設けられ、前記第１カバー部が閉位置を維持したまま前記第２カバー部を開状態にするべく折り曲げ可能な中折れ部と、
を備えるカバー部材。
【請求項２】
前記中折れ部は、弾性素材で形成される
請求項１に記載のカバー部材。
【請求項３】
前記中折れ部は、外面部に凹部を有する
請求項２に記載のカバー部材。
【請求項４】
前記第１カバー部は、前記電子機器の前記第１部材を底部に有する第１凹部の内側面に当接する第１側部を有する
請求項１から３のいずれか一項に記載のカバー部材。
【請求項５】
前記第２カバー部は、前記電子機器の前記第２部材を底部に有する第２凹部の内側面に当接する第２側部を有し、
前記第１側部の高さは、前記第２側部の高さより高い
請求項４に記載のカバー部材。
【請求項６】
前記第１カバー部は、
前記第１側部より内周側に設けられた溝部と、
前記溝部に設けられた１以上の内部リブと、
をさらに有する請求項４または５に記載のカバー部材。
【請求項７】
前記溝部は、前記第１凹部の底部から突出する突出部に嵌合する
請求項６に記載のカバー部材。
【請求項８】
前記第１カバー部は、
前記１以上の内部リブに対応して前記第１側部に設けられた１以上の外部リブ
をさらに有する請求項６または７に記載のカバー部材。
【請求項９】
請求項１から８のいずれか一項に記載のカバー部材と、
前記第１部材と、
前記第２部材と、
を備える電子機器。
【請求項１０】
前記第１部材は、外部機器を接続する第１端子を有し、
前記第２部材は、外部機器を接続する第２端子を有する
請求項９に記載の電子機器。
【請求項１１】
前記第１端子は、音声を出力する音声出力端子であり、
前記第２端子は、音声を入力する音声入力端子である
請求項１０に記載の電子機器。
【請求項１２】
被カバー部材を底部に有する凹部の内側面に当接する側部と、
前記側部より内周側に設けられた溝部と、
前記溝部に設けられた１以上の内部リブと、
を備えるカバー部材。
【請求項１３】
前記溝部は、前記凹部の底部から突出する突出部に嵌合する
請求項１２に記載のカバー部材。
【請求項１４】
前記１以上の内部リブに対応して前記側部の外面に設けられた１以上の外部リブ
をさらに有する請求項１２または１３に記載のカバー部材。
【発明の詳細な説明】
【技術分野】
【０００１】
本発明は、カバー部材および電子機器に関する。
【背景技術】
【０００２】
複数の外部入出力端子を覆うカバー部材が知られている（例えば、特許文献１参照）。
［先行技術文献］
［特許文献］
［特許文献１］特開２０１１−２０９５５８号公報
【発明の概要】
【発明が解決しようとする課題】
【０００３】
複数の部材を一括して開閉するカバーを設けると、一部の部材しか使用しない場合でも全ての部材が外部に露出してしまう。
【課題を解決するための手段】
【０００４】
本発明の第１の態様においては、カバー部材は、ヒンジ部により開閉可能に設けられ、閉位置で電子機器の第１部材を覆う第１カバー部と、閉位置で電子機器の第２部材を覆う第２カバー部と、第２カバー部と第１カバー部との間に一体に設けられ、第１カバー部が閉位置を維持したまま第２カバー部を開状態にするべく折り曲げ可能な中折れ部と、を備える。
【０００５】
本発明の第２の態様においては、カバー部材は、被カバー部材を底部に有する凹部の内側面に当接する側部と、側部より内周側に設けられた溝部と、溝部に設けられた１以上の内部リブと、を備える。
【０００６】
なお、上記の発明の概要は、本発明の必要な特徴の全てを列挙したものではない。また、これらの特徴群のサブコンビネーションもまた、発明となりうる。
【図面の簡単な説明】
【０００７】
【図１】カバー部材１０を備えるカメラ１００の外観の一例を模式的に示す。
【図２】カメラ１００の側面部５の正面図を示す。
【図３】カバー部材１０における模式断面図を示す。
【図４】カバー部材１０における模式断面図を示す。
【図５】第２カバー部１２が開いた状態の正面図を示す。
【図６】カバー部材１０における模式断面図を示す。
【図７】カバー部材１０における模式断面図を示す。
【図８】第１カバー部１１の外観を模式的に示す。
【図９】側部１８の高さ方向に垂直な切断面を模式的に示す。
【発明を実施するための形態】
【０００８】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００９】
図１は、一実施形態における、カバー部材１０を有するカメラ１００の外観の一例を模式的に示す。カメラ１００は、撮像装置の一例としての一眼レフレックスカメラである。カメラ１００は、側面部５に設けたコネクタを覆うカバー部材として、カバー部材１０、カバー部材２１０、カバー部材２２０およびカバー部材２３０を有する。カバー部材１０とカバー部材２１０とは、独立して開閉することができる。また、カバー部材１０とカバー部材２２０とは、独立して開閉することができる。また、カバー部材１０とカバー部材２２０とは、独立して開閉することができる。カバー部材１０、カバー部材２１０、カバー部材２２０およびカバー部材２３０は、それぞれ樹脂等で形成される。
【００１０】
カバー部材１０は、２つのコネクタを覆う。カバー部材１０は、第１カバー部１１、第２カバー部１２、中折れ部１３およびヒンジ部１４を有する。ヒンジ部１４、第１カバー部１１、中折れ部１３、第２カバー部１２は、カメラの厚み方向に沿って配置されている。第１カバー部１１は、音声出力用コネクタの一例であるヘッドフォンジャックをカバーする。第２カバー部１２は、音声入力用コネクタの一例であるマイクジャック１２０をカバーする。
【００１１】
第１カバー部１１、中折れ部１３および第２カバー部１２は、一体に設けられる。具体的には、ヒンジ部１４、第１カバー部１１、中折れ部１３および第２カバー部１２が一体に設けられる。ヒンジ部１４、第１カバー部１１、中折れ部１３および第２カバー部１２は、樹脂等で一体に形成されてよい。ヒンジ部１４は、弾性ヒンジであってよい。
【００１２】
第２カバー部１２は、第１カバー部１１とは独立に開閉することができる。例えば、第１カバー部１１を閉じた状態で、第２カバー部１２を開いた状態にすることができる。具体的には、第１カバー部１１および第２カバー部１２が閉じた状態で第２カバー部１２を引っ張り上げると、中折れ部１３が折れ曲がることで、カメラ１００の筐体と第２カバー部１２との嵌合が外れて、第２カバー部１２だけを開いた状態にすることができる。これにより、ヘッドフォンジャックを第１カバー部１１で覆った状態で、マイクジャック１２０だけを外部に露出させることができる。このため、ヘッドフォンジャックを外部に露出することなく、マイクジャック１２０を通じてマイクを接続して音声を録音することができる。このため、水滴、塵等がヘッドフォンジャックからカメラ１００の内部に入り込むことを防ぐことができる。
【００１３】
本図に模式的に示すように、第２カバー部１２を更に引っ張り上げると、ヒンジ部１４によって、第１カバー部１１と筐体との嵌合が外れる。これにより、マイクジャック１２０およびヘッドフォンジャックを同時に外部に露出させることができる。ユーザがマイクおよびヘッドフォンを同時に使用したい場合には、第１カバー部１１および第２カバー部１２の両方を開いた状態にして、マイクおよびヘッドフォンを接続することができる。
【００１４】
ヘッドフォンジャックおよびマイクジャック１２０は、カメラ１００の筐体に設けられた凹部１３０に設けられる。第１カバー部１１の側部１８および第２カバー部１２の側部１９が、凹部１３０に嵌合する。ここで、側部１８の面積は側部１９の面積より大きい。具体的には、側部１８の高さは、側部１９の高さより高い。このため、第１カバー部１１と筐体との嵌合力を高めることができる。このため、第２カバー部１２だけを開けたい場合に、第１カバー部１１が容易に開かないようにすることができる。
【００１５】
このように、カバー部材１０によると、第１カバー部１１は、ヒンジ部１４により開閉可能に設けられ、閉位置でカメラ１００のヘッドフォンジャックを覆う。第２カバー部１２は、閉位置でカメラ１００のマイクジャック１２０を覆う。中折れ部１３は、第２カバー部１２と第１カバー部１１との間に設けられる。そして、中折れ部１３は折り曲げ可能であり、第１カバー部１１が閉位置を維持したまま第２カバー部１２を開状態にすることができる。
【００１６】
かかるカバー部材１０によれば、マイクジャック１２０およびヘッドフォンジャックを覆うことができる。このため、各ジャックに個別にカバー部材を設ける場合と比べて、カバー部材が占有する面積を低減することができる。このため、より多くのコネクタを側面部５に配けることができる。
【００１７】
また、カバー部材１０によれば、第２カバー部１２、第１カバー部１１の順で段階的に開いた状態にすることができる。このため、録音している音声をユーザが確認する必要がない場合には、第１カバー部１１を閉じた状態にしたまま、第２カバー部１２を開いた状態にすることができる。録音されている音声をユーザがヘッドフォン等で確認したい場合には、第１カバー部１１および第２カバー部１２の両方を開いた状態にして、マイクジャック１２０およびヘッドフォンジャックにそれぞれマイクおよびヘッドフォンを接続すればよい。
【００１８】
カメラ１００によれば、カバー部材１０は、ヘッドフォンジャックおよびマイクジャック１２０のように同時に使用する頻度が高いコネクタを覆うことができる。これにより、使用されないコネクタが外部に露出される機会も低減することができる。また、単独で使用される頻度が最も高いコネクタをヒンジ部１４から最も離れた第２カバー部１２で覆うようにすることで、使用されないコネクタが外部に露出される機会を更に低減することができる。
【００１９】
図２は、カメラ１００の側面部５の正面図を示す。本図において、カバー部材１０、カバー部材２１０、カバー部材２２０およびカバー部材２３０は全て閉じた状態にある。カバー部材１０において、第１カバー部１１および第２カバー部１２の両方が閉じた状態にある。
【００２０】
図示されるように、カバー部材１０において、ヒンジ部１４、第１カバー部１１、中折れ部１３、第２カバー部１２は、一直線上に沿って配置されている。本図において、ヒンジ部１４、第１カバー部１１、中折れ部１３、第２カバー部１２は、水平方向に沿って配置される。具体的には、カバー部材１０のヒンジ部１４が、第１カバー部１１の左側に設けられる。中折れ部１３は、第１カバー部１１の右側かつ第２カバー部１２の左側に設けられる。また、本図において、カバー部材２１０のヒンジ部は、カバー部材２１０によって覆われるコネクタに対して左側に設けられる。すなわち、カバー部材１０のヒンジ部１４と、カバー部材２１０のヒンジ部とは、それぞれが覆うコネクタに対して同じ側に揃えられている。このように、それぞれ複数のコネクタを覆う複数のカバー部材が有する複数のヒンジ部は、側面部５における特定の側（本図においては、左側）に揃えて設けられる。このため、側面部５が狭くても、複数のコネクタを効率良く配置して側面部５のスペースを有効活用しつつ、複数のコネクタに対する防水防滴を確保することができる。
【００２１】
カバー部材１０は、第１カバー部１１の先端に外側に伸びる突起部１５を有する。突起部１５は、中折れ部１３から離れた位置に設けられ、爪掛けとして使用できる。ユーザは、突起部１５に爪等を掛けて引っ張り上げることで、容易に第２カバー部１２だけを開いた状態にすることができる。
【００２２】
なお、カバー部材２１０は、複数のコネクタを覆う単一のカバー部材である。具体的には、カバー部材２１０は、ＬＡＮコネクタおよびＨＤＭＩコネクタを覆う。カバー部材１０とは異なり、カバー部材２１０はＬＡＮコネクタおよびＨＤＭＩコネクタを一括して開閉する。単一のカバー部材で覆う複数のコネクタとしては、ＬＡＮコネクタおよびＨＤＭＩコネクタ等のように室内で使用される頻度が高いコネクタを選択することが好ましい。
【００２３】
上述したように、カバー部材１０は、ヘッドフォンジャックおよびマイクジャック１２０を覆う。ヘッドフォンジャックおよびマイクジャック１２０は室外で使用される頻度も高い。また、室外では、ヘッドフォンジャックおよびマイクジャック１２０のうちマイクジャック１２０だけを使用する頻度も高い。
【００２４】
カバー部材２２０およびカバー部材２３０は、それぞれ単一のコネクタを個別に覆うカバー部材である。具体的には、カバー部材２２０は、ＵＳＢコネクタを覆う。カバー部材２３０は、専用コネクタを覆う。専用コネクタは、カメラ１００を遠隔から操作するための無線通信機能をカメラ１００に追加する無線アダプタを接続するためのコネクタであってよい。カメラ１００においては、カバー部材１０およびカバー部材２１０がそれぞれ複数のコネクタを覆うので、これらのカバー部材が占める面積を低減することができる。このため、専用コネクタやＵＳＢコネクタ等のように、室外で単独で使用される頻度が高いコネクタに、カバー部材を個別に設けることが可能になる。
【００２５】
図３は、カバー部材１０における模式断面図を示す。本図は、図２に例示した状態のカバー部材１０のＡ−Ａ断面を模式的に示す。
【００２６】
カバー部材１０の第１カバー部１１は、カメラ１００の筐体３００と嵌合する嵌合部３１０を有する。嵌合部３１０は、外側壁部３１１および内側壁部３１２を有する。内側壁部３１２は、外側壁部３１１より内周に設けられる。溝部３１３は、外側壁部３１１と内側壁部３１２とにより形成される。外側壁部３１１および内側壁部３１２は環状に設けられる。外側壁部３１１の外側の側部が、図１に示す側部１８を提供する。
【００２７】
ヘッドフォンジャック部材３５１は、カメラ１００の筐体３００の凹部１３０に設けられた開口に設けられる。ヘッドフォンジャック部材３５１の周部には、筐体３００から突出する突出部３０１が設けられる。第１カバー部１１の溝部３１３は、突出部３０１と嵌合する。第１カバー部１１は、溝部３１３が突出部３０１と嵌合した状態で、閉位置に固定され得る。
【００２８】
第２カバー部１２は、筐体３００と嵌合する嵌合部３２０を有する。嵌合部３２０は、外側壁部３２１および内側壁部３２２を有する。内側壁部３２２は、外側壁部３２１より内周に設けられる。溝部３１３は、外側壁部３１１と内側壁部３１２とにより形成される。具体的には、溝部３１３は、外側壁部３１１の内側の側部と、内側壁部３１２の外側の側部とにより形成される。
【００２９】
カバー部材１０の第２カバー部１２は、カメラ１００の筐体３００と嵌合する嵌合部３２０を有する。嵌合部３２０は、外側壁部３２１および内側壁部３２２を有する。内側壁部３２２は、外側壁部３２１より内周に設けられる。溝部３２３は、外側壁部３２１と内側壁部３２２とにより形成される。具体的には、溝部３２３は、外側壁部３２１の内側の側部と、内側壁部３２２の外側の側部とにより形成される。外側壁部３２１および内側壁部３２２は環状に設けられる。外側壁部３１１の外側の側部が、図１に示す側部１９を提供する。
【００３０】
マイクジャック１２０の一部として機能するマイクジャック部材３５２は、筐体３００の凹部１３０に設けられた開口に設けられる。マイクジャック部材３５２の周部には、筐体３００から突出する突出部３０２が設けられる。第２カバー部１２の溝部３２３は、突出部３０２と嵌合する。第２カバー部１２は、溝部３２３が突出部３０２と嵌合した状態で、閉位置に固定され得る。
【００３１】
第２カバー部１２は、外側壁部３２１の一部としての壁部３３０を有する。壁部３３０は、筐体３００と嵌合する嵌合部として機能する。壁部３３０は、筐体３００に設けられた溝部３０３と嵌合する。第２カバー部１２は、溝部３２３が突出部３０２と嵌合し、かつ、壁部３３０が溝部３０３と嵌合した状態で、閉位置に固定され得る。
【００３２】
ここで、溝部３０３の深さ方向の長さは、突出部３０２の高さ方向の長さより長い。壁部３３０は、溝部３０３に十分に嵌合する高さを有する。このため、壁部３３０は、溝部３２３が突出部３０２と嵌合する嵌合力よりも強く溝部３０３と嵌合することができる。壁部３３０が筐体３００と比較的に強く嵌合することで、第２カバー部１２が閉位置にある場合に、第２カバー部１２の先端を浮き上がりにくくすることができる。
【００３３】
また、壁部３３０が比較的に強く筐体３００と嵌合するので、筐体３００の突出部３０２の高さを比較的に低くすることができる。このため、太いプラグをマイクジャック部材３５２に挿入する場合でも、プラグの一部が突出部３０２に突き当たってプラグを挿入できなくなる可能性を低くすることができる。したがって、突出部３０２をマイクジャック部材３５２の近傍に設けることができる。これにより、第２カバー部１２を小型にすることができ、ジャックを密に配置することができる。
【００３４】
また、第２カバー部１２の先端に比較的に強い嵌合力を持たせることで、ユーザが第２カバー部１２を開けようとする場合に、壁部３３０と溝部３０３との嵌合を外す程度の力をかければ、必要以上の力をかけることなく溝部３２３と突出部３０２との嵌合が外れる。このため、第２カバー部１２だけを開けるのに必要以上の力をかけることなく、勢い余って第１カバー部１１と筐体３００との嵌合が外れてしまうことを未然に防ぐことができる。
【００３５】
筐体３００には、ヒンジ部１４の一部を収容する収容部３０４が設けられる。ヒンジ部１４において収容部３０４に収容された部分は、ネジ止め等によって筐体３００に組み付けられる。ヒンジ部１４は、収容部３０４外の部位が弾性変形することで、第１カバー部１１と筐体３００との嵌合が外れ、第１カバー部１１を開いた状態にすることができる。
【００３６】
図４は、カバー部材１０における模式断面図を示す。本図は、図２に例示した状態のカバー部材１０のＢ−Ｂ断面を模式的に示す。Ｂ−Ｂ断面は、外側壁部３１１および外側壁部３２１を切断する位置の断面である。
【００３７】
筐体３００は、ヘッドフォンジャック部材３５１を底部に有する第１凹部４５０と、マイクジャック部材３５２を底部に有する第２凹部４６０とを有する。環状に形成される外側壁部３１１が第１凹部４５０と嵌合する。具体的には、外側壁部３１１の側部４１０が、第１凹部４５０の内側面４０１と当接する。これにより、第１カバー部１１は筐体３００と嵌合する。したがって、第１カバー部１１は、溝部３１３が突出部３０１と嵌合するだけでなく、外側壁部３１１が第１凹部４５０と嵌合することにより、筐体３００と嵌合する。したがって、第１カバー部１１の嵌合力を高めることができる。
【００３８】
同様に、環状に形成される外側壁部３２１が第２凹部４６０と嵌合する。具体的には、外側壁部３１１の側部４２０が、第２凹部４６０の内側面４０２と当接する。これにより、第１カバー部１１は筐体３００と嵌合する。
【００３９】
第１凹部４５０は、第２凹部４６０より深い。そして、上述したように、第１カバー部１１において側部１８を提供する外側壁部３１１は、第２カバー部１２における側部１９を提供する外側壁部３２１よりも高い。すなわち、第２カバー部１２は、第２凹部４６０の内側面に当接する側部１９を有する。第１カバー部１１は、第１凹部４５０の内側面に当接する、側部１９より高い側部１８を有する。第１カバー部１１は、側部１８と第１凹部４５０の内側面とがしっかりと当接することで、筐体３００と比較的に強く嵌合することができる。
【００４０】
したがって、第１カバー部１１において突出部３０１と溝部３１３とが比較的に弱い嵌合力しか有なくても、第１カバー部１１は全体として筐体３００と十分な強さで嵌合することができる。このため、突出部３０１の高さを低くすることができる。このため、太いプラグをヘッドフォンジャック部材３５１に挿入する場合でも、プラグの一部が突出部３０１に突き当たってプラグを挿入できなくなる可能性を低くすることができる。したがって、突出部３０２をヘッドフォンジャック部材３５１の近傍に設けることができ、第１カバー部１１を小型にすることができる。また、第１カバー部１１が十分な嵌合力を得ることができるので、第２カバー部１２を開けるのに多少強い力をかけても、第１カバー部１１を閉位置に維持することができる。
【００４１】
なお、上述したように、第２カバー部１２と筐体３００とは、壁部３３０によって比較的に強い嵌合力を得ることができる。このため、第２カバー部１２における外側壁部３２１は低くても、全体として必要な嵌合力を確保することができる。
【００４２】
また、第１カバー部１１は、側部１８および嵌合部３１０が筐体３００と嵌合する。また、第２カバー部１２は、側部１９および嵌合部３２０が筐体３００と嵌合する。このため、第１カバー部１１および第２カバー部１２は、筐体３００としっかりと嵌合することができる。したがって、例えばヘッドフォンジャック部材３５１やマイクジャック部材３５２と嵌合する突出部材をカバー部材に設ける場合と比較して、これらのジャック部材の筐体３００に対する位置決め誤差の影響を受けない。
【００４３】
なお、中折れ部１３は、外面部に凹部４３０を有する。凹部４３０は、中折れ部１３の外面部に幅方向に設けられる。このため、中折れ部１３は、第２カバー部１２を開ける方向の力によって比較的容易に弾性変形する。このため、第２カバー部１２を十分に開けることができる。
【００４４】
図５は、第２カバー部１２が開いた状態の正面図を示す。本図において、マイクジャック１２０にはプラグ５００が挿入されており、第１カバー部１１は閉じた状態のまま、第２カバー部１２が側面部５に対して略垂直にまで開いている。
【００４５】
図６は、カバー部材１０における模式断面図を示す。本図は、図５に例示した状態のカバー部材１０のＡ−Ａ断面を模式的に示す。本図において、プラグ電極部５０２は、マイクジャック部材３５２に完全に挿入された状態にある。
【００４６】
本図に示すように中折れ部１３に設けた凹部４３０によって、第２カバー部１２を十分に開くことができる。このため、プラグ５００を挿入する場合に第２カバー部１２が邪魔になりにくい。また、凹部４３０によって中折れ部１３が曲がり易くなるので、閉位置にある第１カバー部１１にかかる開方向の力を低減することができる。
【００４７】
図７は、カバー部材１０における模式断面図を示す。本図は、図５に例示した状態のカバー部材１０のＢ−Ｂ断面を模式的に示す。本図においても、プラグ電極部５０２は、マイクジャック部材３５２に完全に挿入された状態にある。
【００４８】
上述したように、第２カバー部１２の高さは比較的に浅いので、プラグ５００を挿入する場合に第２カバー部１２が邪魔になりにくい。このため、中折れ部１３を比較的に短くすることができる。したがって、カバー部材１０を小型化することができる。
【００４９】
また、第１カバー部１１の高さは比較的に深いので、筐体３００との間に十分な嵌合力を得ることができる。マイクジャック１２０にプラグ５００を挿入している場合に、第２カバー部１２を開く方向に力がかかる場合がある。また、プラグ５００がマイクジャック１２０に挿入された状態でも、第２カバー部１２を介して同様の力が継続的にかかる場合がある。第１カバー部１１が閉位置にある場合には第１カバー部１１は筐体３００と十分な嵌合力を有しているので、第１カバー部１１が開く方向に多少の力がかかっても、第１カバー部１１を閉状態に維持することができる。
【００５０】
図８は、第１カバー部１１の外観を模式的に示す。第１カバー部１１は、外側壁部３１１の外側の側部１８に、２つの外部リブ８１０が設けられる。外部リブ８１０は、ヒンジ部１４と接しない側部１８に設けられる。外部リブ８１０が第１凹部の内側面４０１に当接することで、第１カバー部１１と筐体３００との嵌合力を高めることができる。
【００５１】
内部リブ８２０は、外側壁部３１１の内側に設けられる。例えば、内部リブ８２０は、外側壁部３１１の内側の側部と内側壁部３１２の外側の側部とを連結するように設けられる。内部リブ８２０は、外側壁部３１１の内側の側部と内側壁部３１２の外側の側部と一体に形成される。
【００５２】
このように、側部１８より内周側に設けられた溝部３１３に、１以上の内部リブ８２０が設けられる。溝部３１３に内部リブ８２０を設けることで、外側壁部３１１が内部リブ８２０により支持される。このため、筐体３００と第１カバー部１１との嵌合力を高めることができる。側部１８の面積を広くすべく外側壁部３１１を高くすると、外側壁部３１１が傾いたり湾曲したりし易くなる。しかし、溝部３１３に内部リブ８２０を設けることで、外側壁部３１１と筐体３００との嵌合力、特に外部リブ８１０と筐体３００との嵌合力を高めることができる。
【００５３】
なお、外部リブ８１０は、側部１８において高さ方向にわたって形成される。一方、内部リブ８２０は、第１凹部４５０の底部から突出する突出部３０１と嵌合する溝部３１３を形成するべく、高さ方向に予め定められた位置まで延伸する。このため、第１カバー部１１は環状の溝部３１３を有することとなり、当該環状の溝部３１３が、ヘッドフォンジャック部材３５１の周囲に形成された環状の突出部３０１と嵌合する。このため、ヘッドフォンジャック部材３５１をしっかりと防滴することができる。
【００５４】
図９は、側部１８の高さ方向に垂直な切断面を模式的に示す。本図に示すように、内部リブ８２０は、本断面より溝部３１３の底部側に設けられる。図８、図９に例示したように、外部リブ８１０は、内部リブ８２０に対応して側部１８に設けられる。
【００５５】
このように、外部リブ８１０に対応する位置に内部リブ８２０が設けられる。内部リブ８２０を外部リブ８１０の位置に対応して設けることで、外側壁部３１１をより強く支持することができる。このため、外側壁部３１１の変形を抑制することができるので、側部１８と筐体３００との嵌合力の低下を抑制することができる。
【００５６】
ここでは外部リブ８１０を側部１８に２つ設けるとしたが、外部リブ８１０は１以上設ければよい。また、内部リブ８２０を外部リブ８１０に対応して設けるとしたが、複数の外部リブ８１０のうち一部の外部リブ８１０に対応して内部リブ８２０を設けてもよい。また、複数の内部リブ８２０のうち一部の内部リブ８２０に対応して対応して外部リブ８１０を設けてもよい。
【００５７】
また、本実施形態では、外部リブ８１０および内部リブ８２０を設けるとした。しかし、外部リブ８１０を有しない態様を採用してよい。また、内部リブ８２０を有しない態様を採用してもよい。また、外部リブ８１０および内部リブ８２０を有しない態様を採用してもよい。
【００５８】
なお、本実施形態において、第２カバー部１２の側部１９には、外部リブ８１０に対応する外部リブを設けなくてよい。また、第２カバー部１２の側部１９の内側に、内部リブ８２０に対応する内部リブを設けなくてよい。しかし、第２カバー部１２として、外部リブ８１０および内部リブ８２０の少なくとも一方に対応するリブを設けた態様を採用することができる。
【００５９】
以上に説明したように、本実施形態において、カバー部材１０は、２段階で開くことができる２つのカバー部を有するとした。しかし、３段階で開くことができる３つのカバー部を有する態様を採用することができる。例えば、上述した中折れ部１３と第１カバー部１１との間に、第１カバー部１１と同様の第３カバー部および第２の中折れ部を、第１カバー部１１、第２中折れ部、第３カバー部、中折れ部１３の順で設けてよい。
【００６０】
以上の説明において、カバー部材１０が、音声出力端子の一例としてのヘッドフォンジャックや音声入力端子の一例としてのマイクジャック１２０を覆うとした。カバー部材１０が覆う被カバー部材としては、ジャックやレセプタクル、プラグ等のコネクタを例示することができる。ヘッドフォンジャックおよびマイクジャック１２０等のコネクタは、外部機器を接続する接続端子の一例である。なお、接続端子は、カバー部材１０で覆うことができる被カバー部材の一例である。被カバー部材はとしては、スイッチやボタン等の操作部材、種々のスロット等の部材を例示することができる。スロットとしては、メモリカード等の記録媒体や種々のカードを挿入するカードスロット、電池等を挿入する電池スロット等を例示することができる。また、図２等において説明したように、カバー部材１０において、ヒンジ部１４、第１カバー部１１、中折れ部１３、第２カバー部１２が、図２における水平方向に沿って配置されるとした。複数のカバー部が水平方向に沿って配置される構成の他に、複数のカバー部が垂直方向に沿って配置された構成も採用できる。複数のカバー部が配置される方向は、これらの方向に限られない。複数のカバー部が特定の方向に一直線上に沿って配置された構成も採用できる。
【００６１】
また、本実施形態においてヒンジ部１４は弾性ヒンジとした。しかし、ヒンジ部１４は回転軸ヒンジであってもよい。
【００６２】
以上においては、カバー部材１０を分かり易く説明することを目的として、カメラ１００の動作等の機能については説明を省略した。カメラ１００は、マイクジャック部材３５２から入力された音声信号を記録媒体等に記録する音声記録部、ヘッドフォンジャック部材３５１から音声を出力する音声出力部、被写体を撮像する撮像部等の機能を有してよい。また、カメラ１００は、カバー部材１０の状態を検出する検出部を有してもよい。例えば、カメラ１００は、第１カバー部１１が開状態にあるか否か、および、第２カバー部１２が開状態にあるか否かを、それぞれ独立に検出する検出部を有してもよい。
【００６３】
本実施形態において、撮像装置の一例として、一眼レフレックスカメラであるカメラ１００を例示した。しかし、撮像装置としては、レンズ交換式カメラとしての一眼レフレックスカメラ、ミラーレス式カメラ、レンズ非交換式カメラの一例であるコンパクトデジタルカメラ、ビデオカメラ、撮像機能付きの携帯電話機、撮像機能付きの携帯情報端末、撮像機能付きのゲーム機器等の娯楽装置等、撮像機能を有する種々の電子機器を適用の対象とすることができる。なお、電子機器は撮像装置に限られず、ＩＣレコーダ等の録音装置、携帯電話機、携帯情報端末、ゲーム機器や、テレビ、録画装置、デジタルフォトフレーム等の映像機器等、種々の電子機器を適用の対象とすることができる。
【００６４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６６】
５  側面部、１０  カバー部材、１１  第１カバー部、１２  第２カバー部、１３  中折れ部、１４  ヒンジ部、１５  突起部、１８  側部、１９  側部、１００  カメラ、１２０  マイクジャック、１３０  凹部、２１０、２２０、２３０  カバー部材、３００  筐体、３０１  突出部、３０２  突出部、３０３  溝部、３０４  収容部、３１０  嵌合部、３１１  外側壁部、３１２  内側壁部、３１３  溝部、３２０  嵌合部、３２１  外側壁部、３２２  内側壁部、３２３  溝部、３３０  壁部、３５１  ヘッドフォンジャック部材、３５２  マイクジャック部材、４０１  内側面、４０２  内側面、４１０  側部、４２０  側部、４３０  凹部、４５０  第１凹部、４６０  第２凹部、５００  プラグ、５０２  プラグ電極部、８１０  外部リブ、８２０  内部リブ
【図１】
2013140280.tif 000003
【図２】
2013140280.tif 000004
【図３】
2013140280.tif 000005
【図４】
2013140280.tif 000006
【図５】
2013140280.tif 000007
【図６】
2013140280.tif 000008
【図７】
2013140280.tif 000009
【図８】
2013140280.tif 000010
【図９】
2013140280.tif 000011